(57)【特許請求の範囲】
【請求項１】
その前面にパネル状ディスプレイ装置をもつ本体部と、この本体部を支持するスタンド部とを含むデスクトップ型コンピュータであって、
前記本体部前面における前記パネル状ディスプレイ装置の下側に、交換可能な可換媒体自体を押すことなく当該可換媒体の装填動作が行われる第１の媒体可換記憶装置を配置し、前記第１の媒体可換記憶装置の下に、交換可能な可換媒体自体を押すことで当該可換媒体の装填動作が行われる第２の媒体可換記憶装置を配置し、前記第２の媒体可換記憶装置の媒体出し入れ口の下部には、当該ディスク出し入れ口に向かって深さが漸増する略半円形の操作凹部を形成し、前記操作凹部の背面側の装置内部空間に、前記本体部の支持部材を配置することを特徴とするデスクトップ型コンピュータ。
【請求項２】
請求項１記載のデスクトップ型コンピュータにおいて、前記パネル状ディスプレイ装置は、液晶ディスプレイ装置であり、前記第１の媒体可換記憶装置はＣＤ−ＲＯＭドライブまたはＤＶＤ−ＲＯＭドライブまたはＤＶＤ−ＲＡＭドライブであり、前記第２の媒体可換記憶装置はフロッピーディスクドライブまたはスーパーディスクドライブまたはＨｉ−ＦＤドライブまたはＺｉｐドライブまたはＭＤ（ミニディスク）ドライブであり、
前記本体部前面における前記液晶ディスプレイ装置の下側に、ＣＤ−ＲＯＭドライブまたはＤＶＤ−ＲＯＭドライブまたはＤＶＤ−ＲＡＭドライブのディスク出し入れ口を配置し、前記ＣＤ−ＲＯＭドライブまたはＤＶＤ−ＲＯＭドライブまたはＤＶＤ−ＲＡＭドライブの下側にフロッピーディスクドライブまたはスーパーディスクドライブまたはＨｉ−ＦＤドライブまたはＺｉｐドライブまたはＭＤ（ミニディスク）ドライブのディスク出し入れ口を配置したことを特徴とするデスクトップ型コンピュータ。
【請求項３】
請求項２記載のデスクトップ型コンピュータにおいて、
前記フロッピーディスクドライブの前記ディスク出し入れ口の下部には、赤外線通信インタフェースを配置したことを特徴とするデスクトップ型コンピュータ。
【請求項４】
請求項１または２記載のデスクトップ型コンピュータにおいて、
前記本体部を前記スタンド部に対して、少なくともチルト動作（前後方向の首振り動作）が可能であるように結合したことを特徴とするデスクトップ型コンピュータ。
【請求項５】
請求項１または２記載のデスクトップ型コンピュータにおいて、
前記本体部は前記スタンド部に対して、チルト動作（前後方向の首振り動作）およびスイング動作（左右方向の首振り動作）の少なくとも一方が可能であるように結合されたことを特徴とするデスクトップ型コンピュータ。
【発明の詳細な説明】
【０００１】
【発明の属する技術分野】
本発明は、デスクトップ型コンピュータに係り、特に、液晶ディスプレイ装置等のパネル状ディスプレイ装置を表示装置として具備したデスクトップ型コンピュータに関する。
【０００２】
【従来の技術】
パネル状ディスプレイ装置の一種である液晶ディスプレイ装置は、ＣＲＴディスプレイ装置に較べて薄型で軽量であるので、ブック型パソコン，携帯端末等のポータブル型コンピュータに搭載されて、広く普及しているが、これらのポータブル型コンピュータに搭載されている液晶ディスプレイ装置は、比較的に小画面のものである。
【０００３】
ところで、近時の製造技術の進歩によって、比較的に大画面の液晶ディスプレイ装置が普及し始めており、デスクトップ型コンピュータにおいてもその採用が一部で開始されているが、これは従前のＣＲＴディスプレイ装置と同様に、液晶ディスプレイ装置を装置本体から分離して、液晶ディスプレイ装置を単体で製品化したものである。
【０００４】
上記したように、液晶ディスプレイ装置を装置本体から分離して用いると、液晶ディスプレイ装置と装置本体とを別個の場所に設置できるという利点がある反面、表示装置を含めたデスクトップ型コンピュータシステム全体で見ると、スペース効率が悪いという技術的課題がある。
【０００５】
このため、たとえば、特開平１０−２２２２４４号公報には、薄型で軽量であるという液晶ディスプレイ装置のもつ特性を充分に活かして、表示装置を含めたデスクトップ型コンピュータシステム全体をコンパクトなものにしてスペース効率を高めたデスクトップ型コンピュータが開示されている。
【０００６】
【発明が解決しようとする課題】
ところで、ＣＤ−ＲＯＭドライブやフロッピーディスクドライブ等の二次記憶装置の配置についてみると、上述の従来技術の装置では、液晶ディスプレイ装置の下側にフロッピーディスクドライブ、ＣＤ−ＲＯＭドライブの順序で配置されていたため、液晶ディスプレイ装置の高さ方向の位置が高くなる、という技術的課題があった。
【０００７】
すなわち、フロッピーディスクドライブの場合には、媒体であるフロッピーディスクをマニュアル操作で装置内部に完全に押し込むための略半円形の操作凹部（逃溝）を本体部の外面に設ける必要があり、上述の従来の配置順では、この略半円形凹部の形成スペースだけ、フロッピーディスクドライブとＣＤ−ＲＯＭドライブの上下方向の間隔が大きくなる。一方、下側のスタンド部には、チルト等の機構を実装する必要があるため、結局このフロッピーディスクドライブとＣＤ−ＲＯＭドライブの間隔の増大は、液晶ディスプレイ装置を上側に移動させて吸収せざるを得ず、このため液晶ディスプレイ装置の高さ方向の位置が高くなるものである。
【０００８】
デスクトップ型コンピュータの操作に際しては、正面の液晶ディスプレイ装置と、手前側のキーボードとを交互に視認する動作が発生し、キーボードの操作に不慣れな初心者ほどこの液晶ディスプレイ装置とキーボード間の視点の移動の頻度が高くなる。また、デスクトップ型コンピュータを机上に設置したとき、操作者が机上での一般事務作業時の姿勢からコンピュータ操作作業に切り換える際に、液晶ディスプレイ装置を視認するための姿勢変化が発生する。このため、この液晶ディスプレイ装置の高さの増大は、たとえ僅かであっても、操作者の大きな作業姿勢の変化や前記視点の移動距離の増大となり、全体の操作性に大きく影響する。
【０００９】
また、装置高さの増大は、設置スペースの増大、製品の移動や流通、梱包等の物流性の低下ももたらす。
【００１０】
一方、装置の奥行き方向の寸法を小さくするためには、正面側から、液晶ディスプレイ装置、メインシャーシ、マザーボード等の論理パッケージ基板の順に配置することが考えられるが、従来技術では論理パッケージ基板と液晶ディスプレイ装置とを接続する電源ケーブルや信号ケーブルの引き回し経路や固定技術等の開示がなかった。
【００１１】
また、プリンタ等の周辺機器を接続するためのコネクタをデスクトップ型コンピュータの本体部の高い位置に配置した場合には、このコネクタに接続されるケーブルが、液晶ディスプレイ装置を注視する操作者の視野に入り、目障りとなってやはり操作性を低下させる一因となる。
【００１２】
本発明の目的は、パネル状ディスプレイ装置の高さ方向の位置を低く設定して、操作者の作業姿勢の変化や視線移動量を低減し、操作性を向上させることが可能なデスクトップ型コンピュータを提供することにある。
【００１３】
本発明の他の目的は、高さ寸法の低減による設置スペースの削減、移動や流通、梱包等の物流性の向上を実現することが可能なデスクトップ型コンピュータを提供することにある。
【００１４】
本発明の他の目的は、パネル状ディスプレイ装置に接続されるケーブルの遊動や振動による異音の発生防止、当該ケーブルを接続するコネクタに加わる負荷の軽減を実現することが可能なデスクトップ型コンピュータを提供することにある。
【００１５】
本発明の他の目的は、パネル状ディスプレイ装置に接続されるケーブルのシールド被覆を確実に接地することが可能なデスクトップ型コンピュータを提供することにある。
【００１６】
本発明の他の目的は、周辺機器の接続ケーブルが、操作者の視野内に入ることによる操作性や美観の低下を防止することが可能なデスクトップ型コンピュータを提供することにある。
【００１７】
【課題を解決するための手段】
本発明によるデスクトップ型コンピュータは、その前面にパネル状ディスプレイ装置をもつ本体部と、この本体部を支持するスタンド部とを含むデスクトップ型コンピュータにおいて、本体部前面におけるパネル状ディスプレイ装置の下側に、交換可能な可換媒体自体を押すことなく当該可換媒体の装填動作が行われる第１の媒体可換記憶装置を配置し、第１の媒体可換記憶装置の下に、交換可能な可換媒体自体を押すことで当該可換媒体の装填動作が行われる第２の媒体可換記憶装置を配置し、前記第２の媒体可換記憶装置の媒体出し入れ口の下部には、当該ディスク出し入れ口に向かって深さが漸増する略半円形の操作凹部を形成し、前記操作凹部の背面側の装置内部空間に、前記本体部の支持部材を配置するものである。
【００１８】
より具体的には、一例として、その前面に液晶ディスプレイ装置をもつ本体部と、この本体部を支持するスタンド部とを備え、本体部前面における液晶ディスプレイ装置の下側に、その前面に液晶ディスプレイ装置をもつ本体部と、この本体部を支持するスタンド部とを備えたデスクトップ型コンピュータにおいて、本体部前面における液晶ディスプレイ装置の下側に、ＣＤ−ＲＯＭドライブ、ＤＶＤ−ＲＯＭドライブ、ＤＶＤ−ＲＡＭドライブ等のディスク出し入れ口を配置し、ＣＤ−ＲＯＭドライブ、ＤＶＤ−ＲＯＭドライブ、ＤＶＤ−ＲＡＭドライブ等の下側にフロッピーディスクドライブ、スーパーディスク、Ｈｉ−ＦＤ等のディスク出し入れ口を配置したものである。
【００１９】
また、本発明は、その前面にパネル状ディスプレイ装置をもつ本体部と、この本体部を支持するスタンド部とを備えたデスクトップ型コンピュータにおいて、本体部には、パネル状ディスプレイ装置と、パネル状ディスプレイ装置の背面側に配置され、当該パネル状ディスプレイ装置を支持するメインシャーシと、メインシャーシの背面側に配置される論理パッケージ基板とが、正面側から見て、パネル状ディスプレイ装置、メインシャーシ、論理パッケージ基板、の順序でほぼ平行に配置され、パネル状ディスプレイ装置とメインシャーシの間隙には、論理パッケージ基板とパネル状ディスプレイ装置とを接続するケーブルが引き回され、メインシャーシには、ケーブルを固定するケーブルクランパを形成したものである。
【００２０】
また、本発明は、その前面にパネル状ディスプレイ装置をもつ本体部と、この本体部を支持するスタンド部とを備えたデスクトップ型コンピュータにおいて、本体部の側面下部に周辺機器接続コネクタを配置したものである。
【００２１】
【発明の実施の形態】
以下、本発明の実施の形態を図面を参照しながら詳細に説明する。
【００２２】
図１は、本発明の一実施の形態であるデスクトップ型コンピュータの正面図、図２は、その左側面図、図３は、その右側面図、図４は、その上部平面図、図５は、その断面図、図６および図７は、その一部を取り出して示す平面図、図８は、そのチルト動作の一例を示す右側面図である。
【００２３】
図１、図２、図３において、１は本体部、２は本体部１を支持するスタンド部であり、３は本体部１の外筐体をなすケーシングである。図２、図３に示すように、本体部１の前面側には液晶ディスプレイ装置４が配設されている。
【００２４】
本実施の形態の場合、液晶ディスプレイ装置４の下側中央には、本体部１内に内蔵されたＣＤ−ＲＯＭドライブ５のディスク出し入れ口５ａが水平方向に配設されており、このディスク出し入れ口５ａの下側には、本体部１内に内蔵されたフロッピーディスクドライブ６のディスク出し入れ口６ａが水平方向に配設されている。
【００２５】
また、図１において、９は電源ボタン、９ａは電源ボタン９と一体の電源スタンバイＬＥＤ、６ｃはフロッピーディスクアクセスＬＥＤ、６ｄはフロッピーエジェクトボタン、５ｂはＣＤ−ＲＯＭアクセスＬＥＤ、５ｃはＣＤ−ＲＯＭイジェクトボタン、である。
【００２６】
フロッピーディスクドライブ６のディスク出し入れ口６ａの下部には、当該ディスク出し入れ口６ａを通じて操作者が手動でフロッピーディスク自体を押し込んで装填したり、抜去時にフロッピーディスク自体をつまんで取り出すための操作凹部６ｂが形成されている。
【００２７】
ＣＤ−ＲＯＭドライブ５では、図示しないＣＤ−ＲＯＭのドライブ内への装填動作は、当該ＣＤ−ＲＯＭを図示しないトレイに載置した後、ディスク出し入れ口５ａを押すことで、当該ＣＤ−ＲＯＭ自体を押すことなく、行われる。また、ＣＤ−ＲＯＭイジェクトボタン５ｃの押圧操作により図示しないＣＤ−ＲＯＭのドライブ内からの取り出し動作が自動的に行われる。
【００２８】
また、このフロッピーディスクドライブ６のディスク出し入れ口６ａの下側（ケーシング３の前部最下端の中央）には、ワイヤーレスで外部機器と情報の授受を行ったり、本コンピュータに命令を入力したりするための、赤外線通信光授受部７が設けられており、本コンピュータはキーボード３０やマウスを接続しないでも、操作可能とされている。なお、この赤外線通信光授受部７は、受信専用の赤外光受信部としてもよい。
【００２９】
また、上記２つのディスク出し入れ口５ａ，ディスク出し入れ口６ａの左右には、スピーカ８ａ，スピーカ８ｂが配設されていて、ステレオ音声出力が可能とされている。
【００３０】
スタンド部２は、スウィングベース２ａ、このスウィングベース２ａに支持されて水平面内で回動（この場合、左右各４５度）するスウィングテーブル２ｂ、スウィングテーブル２ｂ上に固定された一対の軸受け金具２ｃ、軸受け金具２ｃに両端部が支持されたチルト軸２ｄ、チルト軸２ｄと、本体部１とを接続する一対の支持金具２ｅ、等を備えており、左右方向のスウィング操作と、前後方向のチルト動作（本実施の形態の場合、たとえば１５度程度）を組み合わせた液晶ディスプレイ装置４の姿勢設定操作が可能になっている。
【００３１】
なお、フロッピーディスクドライブ６の下側の赤外線通信光授受部７は、ケーシング３の正面の表面部分を利用して設置されており、背面側が空間になっている。そして、本体部１に接続される一対の支持金具２ｅの高さは、この赤外線通信光授受部７の背面側の空間において、フロッピーディスクドライブ６に干渉しない範囲で、当該フロッピーディスクドライブ６の底部に可能な限り接近するように、すなわち、本体部１の支持高さが低くなるように設定されている。
【００３２】
このように、本実施の形態では、本体部１に対して上から順に、液晶ディスプレイ装置４、ＣＤ−ＲＯＭドライブ５（のディスク出し入れ口５ａ）、フロッピーディスクドライブ６（のディスク出し入れ口６ａ）の順に配置したことにより、フロッピーディスクドライブ６の操作凹部６ｂの高さ方向の幅寸法Ｈ０の（たとえば１ｃｍ程度）分だけ、装置設置面（スタンド部２の底部）から液晶ディスプレイ装置４の画面４ａの下端部までの高さ寸法Ｈ１、さらにはデスクトップ型コンピュータの全体の高さ寸法Ｈ２を縮小できる。
【００３３】
この高さ寸法Ｈ１の短縮により、本実施の形態のデスクトップ型コンピュータの操作において、正面の液晶ディスプレイ装置４と手前側のキーボード３０とを交互に視認する動作における視点移動距離の短縮による操作性の向上を実現できる。キーボード３０の操作に不慣れな初心者ほどこの液晶ディスプレイ装置とキーボード３０との間の視点の移動の頻度が高くなるのでこの効果はより大きくなる。
【００３４】
また、本実施の形態のデスクトップ型コンピュータを机上に設置したとき、操作者が机上での一般事務作業時の姿勢からコンピュータ操作作業に切り換える際に、液晶ディスプレイ装置４を視認するための姿勢変化が小さくなり、作業姿勢の観点からの操作性も向上する。
【００３５】
さらに、この高さ寸法Ｈ１の短縮により、本実施の形態のデスクトップ型コンピュータ全体の高さ寸法Ｈ２が減少し、設置スペースの削減、製品の移動や流通、梱包等の物流性の向上を実現できる。
【００３６】
図２によって、本実施の形態のデスクトップ型コンピュータの左側面の構成を説明する。図２において、１０は音声ボリュームダイヤル、１１は液晶ディスプレイ装置４の輝度調整ダイヤル、３ａはケーシング３に設けられ本体部１の内部にアクセスするために開閉される保守扉、１２はメイン電源スイッチ、１３は商用電源コンセント、１４は商用電源コンセント１３の電圧切換えスイッチ、３ｂはケーシング３を貫通して形成された通風口である。
【００３７】
本実施の形態の場合、この図２に示される本体部１の左側面部の下部には、プリンタ等の周辺機器を接続するためのパラレルインタフェースコネクタ１５、シリアルインタフェース機器が接続されるシリアルインタフェースコネクタ１６、楽器等の音楽関係の周辺機器が接続されるＭＩＤＩコネクタ１７、外部のオーディオ機器等に接続するためのオーディオコネクタ１８、が設けられている。
【００３８】
このように、本実施の形態のデスクトップ型コンピュータでは、周辺機器を接続するためのパラレルインタフェースコネクタ１５、シリアルインタフェースコネクタ１６、ＭＩＤＩコネクタ１７、オーディオコネクタ１８を本体部１の側面下部に配置したことにより、当該各コネクタに接続される図示しないケーブル等が、液晶ディスプレイ装置４を注視する操作者の視界に入らず、操作性が向上する。また、これらの各コネクタに対する図示しないケーブルの接続位置が低くなったことにより、本体部１の姿勢がより安定する。
【００３９】
図３によって、本実施の形態のデスクトップ型コンピュータの右側面の構成を説明する。図３において、１９はキーボードコネクタ、２０はマウスコネクタ、２１はＵＳＢコネクタ、である。
【００４０】
図４によって、本実施の形態のデスクトップ型コンピュータの上部からみた構成を説明する。図４に例示されるように、本実施の形態のデスクトップ型コンピュータにおける本体部１は、円形のスタンド部２に支持されている。このスタンド部２には、外部から図示しないチェーン等を接続することにより、設置場所からの本体部１の移動や搬送等を制限するためのキーロック機構２２が設けられている。
【００４１】
次に、本実施の形態のデスクトップ型コンピュータの内部構造の一例について、図５および図６を参照して説明する。
【００４２】
ケーシング３の前面に配置された液晶ディスプレイ装置４の背面側に液晶ディスプレイ装置４と平行かつ近接してメインシャーシ２３が配設されており、このメインシャーシ２３の後側には、メインシャーシ２３と平行かつ近接してマザーボード等の論理パッケージ基板２４が配設されている。このメインシャーシ２３は、たとえば金属板等で構成され、図示しない接地配線にて接地電位に接続されている。
【００４３】
また、ケーシング３内の後部上方側には、電源ユニット２５が設けられ、また上部背面には通風口３ｃが形成されている。さらに、ケーシング３内のＣＤ−ＲＯＭドライブ５の上部にはハードディスクドライブ２６が配設されている。論理パッケージ基板２４上には、ＭＰＵ２４ａ、ＭＰＵ用ファン２４ｂが搭載されている。さらに、論理パッケージ基板２４にはＰＣＩ／ＩＳＡ拡張スロット部２７が接続されており、上述のケーシング３の左側面部に設けられた保守扉３ａを通じて増設用のＰＣＩ／ＩＳＡ拡張ボードが挿抜可能になっている。
【００４４】
本実施の形態の場合、液晶ディスプレイ装置４を駆動する電源ケーブル２８および信号ケーブル２９は、メインシャーシ２３の背面側から、当該メインシャーシ２３の上端縁とケーシング３の間隙を通って、液晶ディスプレイ装置４とメインシャーシ２３の間隙を引き回され、図６に例示されるように、経路途中が、メインシャーシ２３に形成された複数のケーブルクランパ２３ａ、ケーブルクランパ２３ｂにて固定される。
【００４５】
すなわち、図６は、本実施の形態のデスクトップ型コンピュータを構成するメインシャーシ２３の一例を示す平面図である。シールド被覆２９ａが施された信号ケーブル２９は、メインシャーシ２３の上端縁を迂回して液晶ディスプレイ装置４と当該メインシャーシ２３の間を引き回され、液晶ディスプレイ装置４の左端側にコネクタ２９ｂを介して接続される。
【００４６】
また、シールド被覆２８ａが施された電源ケーブル２８は、信号ケーブル２９とほぼ同じ経路でメインシャーシ２３の上端縁を迂回して液晶ディスプレイ装置４と当該メインシャーシ２３の間を引き回され、液晶ディスプレイ装置４の左端側に設けられている上述の輝度調整ダイヤル１１にコネクタ２８ｂを介して経由した後、液晶ディスプレイ装置４の右端側の図示しないインバータに対してコネクタ２８ｃを介して接続される。このインバータは、液晶ディスプレイ装置４のバックライトの駆動電圧を生成する動作を行うものであり、電源ケーブル２８を介してインバータに印加される電圧を途中の輝度調整ダイヤル１１にて増減させることにより、液晶ディスプレイ装置４の明るさを制御する。
【００４７】
本実施の形態の場合、図６に例示されるように、メインシャーシ２３にはケーブルクランパ２３ａおよびケーブルクランパ２３ｂが設けられ、左端側のコネクタ２９ｂに至る信号ケーブル２９と、左端側のコネクタ２８ｂに至るまでの電源ケーブル２８がケーブルクランパ２３ａに保持されて固定され、左端側のコネクタ２８ｂから右端側のコネクタ２８ｃに至る電源ケーブル２８がケーブルクランパ２３ｂに保持されて固定されている。
【００４８】
ケーブルクランパ２３ａおよび２３ｂは、たとえば、図６および図７に例示されるように、メインシャーシ２３のプレスによる打ち抜き加工に際して、当該ケーブルクランパの形成部位をコ字形に打ち抜き、残った爪状の部分を折り曲げることで形成されたものであり、加工工数を増加させることなく、メインシャーシ２３のプレス加工工程で一括して形成することが可能である。
【００４９】
このように、本実施の形態の場合には、液晶ディスプレイ装置４を動作させるための電源ケーブル２８および信号ケーブル２９を、当該液晶ディスプレイ装置４とメインシャーシ２３の間隙を引き回すとともに、メインシャーシ２３に設けられたケーブルクランパ２３ａおよび２３ｂにて当該メインシャーシ２３に固定する構造であるため、電源ケーブル２８、信号ケーブル２９が遊動状態となることがない。このため、デスクトップ型コンピュータの姿勢の変更等における当該電源ケーブル２８、信号ケーブル２９の振動による異音の発生が防止されるとともに、電源ケーブル２８、信号ケーブル２９の自重や振動によってコネクタ２８ｂ、コネクタ２８ｃ、コネクタ２９ｂに加わる負荷が軽減される。さらに、電源ケーブル２８および信号ケーブル２９のシールド被覆２８ａおよびシールド被覆２９ａが、メインシャーシ２３と一体のケーブルクランパ２３ａおよび２３ｂにて当該メインシャーシ２３に確実に電気的に接続されて接地されるので、確実なシールド効果が得られる。
【００５０】
以上本発明者によってなされた発明を実施の形態に基づき具体的に説明したが、本発明は前記実施の形態に限定されるものではなく、その要旨を逸脱しない範囲で種々変更可能であることはいうまでもない。
【００５１】
たとえば、上述の説明では、第１の媒体可換記憶装置としてＣＤ−ＲＯＭドライブを例示したが、ＤＶＤ−ＲＯＭ、ＤＶＤ−ＲＡＭ等の媒体可換記憶装置であってもよい。また、第２の媒体可換記憶装置としてフロッピーディスクドライブを例示したが、スーパーディスクドライブ、Ｈｉ−ＦＤドライブ、Ｚｉｐドライブ、ＭＤ（ミニディスク）ドライブなど、いわゆるスロット方式のリムーバブル記憶装置ならいかなるものでも適用可能である。また、パネル状ディスプレイ装置の一例として液晶ディスプレイ装置を例示したが、たとえばプラズマディスプレイ装置等のパネル状の薄型ディスプレイ一般を用いることも本発明に含まれる。
【００５２】
【発明の効果】
本発明のデスクトップ型コンピュータによれば、パネル状ディスプレイ装置の高さ方向の位置を低く設定して、操作者の作業姿勢の変化や視線移動量を低減し、操作性を向上させることができる、という効果が得られる。
【００５３】
本発明のデスクトップ型コンピュータによれば、高さ寸法の低減による設置スペースの削減、移動や流通、梱包等の物流性の向上を実現することができる、という効果が得られる。
【００５４】
本発明のデスクトップ型コンピュータによれば、パネル状ディスプレイ装置に接続されるケーブルの遊動や振動による異音の発生防止、当該ケーブルを接続するコネクタに加わる負荷の軽減を実現することができる、という効果が得られる。
【００５５】
本発明のデスクトップ型コンピュータによれば、パネル状ディスプレイ装置に接続されるケーブルのシールド被覆を確実に接地することができる、という効果が得られる。
【００５６】
本発明のデスクトップ型コンピュータによれば、周辺機器の接続ケーブルが、操作者の視野内に入ることによる操作性や美観の低下を防止することができる、という効果が得られる。
【図面の簡単な説明】
【図１】本発明の一実施の形態であるデスクトップ型コンピュータの正面図である。
【図２】本発明の一実施の形態であるデスクトップ型コンピュータの左側面図である。
【図３】本発明の一実施の形態であるデスクトップ型コンピュータの右側面図である。
【図４】本発明の一実施の形態であるデスクトップ型コンピュータの上部平面図である。
【図５】本発明の一実施の形態であるデスクトップ型コンピュータの断面図である。
【図６】本発明の一実施の形態であるデスクトップ型コンピュータの一部を取り出して示す平面図である。
【図７】本発明の一実施の形態であるデスクトップ型コンピュータの一部を取り出して示す部分断面図である。
【図８】本発明の一実施の形態であるデスクトップ型コンピュータのチルト動作の一例を示す右側面図である。
【符号の説明】
１…本体部、２…スタンド部、２ａ…スウィングベース、２ｂ…スウィングテーブル、２ｃ…軸受け金具、２ｄ…チルト軸、２ｅ…支持金具、３…ケーシング、３ａ…保守扉、３ｂ，３ｃ…通風口、４…液晶ディスプレイ装置（パネル状ディスプレイ装置）、４ａ…画面、５…ＣＤ−ＲＯＭドライブ（第１の媒体可換記憶装置）、５ａ…ディスク出し入れ口、５ｂ…ＣＤ−ＲＯＭアクセスＬＥＤ、５ｃ…ＣＤ−ＲＯＭイジェクトボタン、６…フロッピーディスクドライブ（第２の媒体可換記憶装置）、６ａ…ディスク出し入れ口、６ｂ…操作凹部、６ｃ…フロッピーディスクアクセスＬＥＤ、６ｄ…フロッピーエジェクトボタン、７…赤外線通信光授受部、８ａ，８ｂ…スピーカ、９…電源ボタン、９ａ…電源スタンバイＬＥＤ、１０…音声ボリュームダイヤル、１１…輝度調整ダイヤル、１２…メイン電源スイッチ、１３…商用電源コンセント、１４…電圧切換えスイッチ、１５…パラレルインタフェースコネクタ、１６…シリアルインタフェースコネクタ、１７…ＭＩＤＩコネクタ、１８…オーディオコネクタ、１９…キーボードコネクタ、２０…マウスコネクタ、２１…ＵＳＢコネクタ、２２…キーロック機構、２３…メインシャーシ、２３ａ…ケーブルクランパ、２３ｂ…ケーブルクランパ、２４…論理パッケージ基板、２４ａ…ＭＰＵ、２４ｂ…ＭＰＵ用ファン、２５…電源ユニット、２６…ハードディスクドライブ、２７…ＰＣＩ／ＩＳＡ拡張スロット部、２８…電源ケーブル、２８ａ…シールド被覆、２８ｂ…コネクタ、２８ｃ…コネクタ、２９…信号ケーブル、２９ａ…シールド被覆、２９ｂ…コネクタ、３０…キーボード。
【図１】
0003698587.tif 000002
【図２】
0003698587.tif 000003
【図３】
0003698587.tif 000004
【図４】
0003698587.tif 000005
【図５】
0003698587.tif 000006
【図６】
0003698587.tif 000007
【図７】
0003698587.tif 000008
【図８】
0003698587.tif 000009